(57)【要約】【課題】放電灯の寿命を向上できる放電灯駆動装置を提供する。【解決手段】本発明の放電灯駆動装置の一つの態様において制御部は、放電灯に交流電流が供給される第１期間および第２期間を交互に有する駆動電流を放電灯に供給し、第１期間は、第１電極が陽極となる第１極性期間と第２電極が陽極となる第２極性期間とからなる第１単位駆動期間を複数連続して有し、第２期間は、第１極性期間と第２極性期間とからなる第２単位駆動期間を複数連続して有し、第１単位駆動期間において、第１極性期間および第２極性期間のうち一方の極性期間の長さが他方の極性期間の長さよりも大きく、かつ、他方の極性期間の長さに対する一方の極性期間の長さの比である保持時間比が所定値以上であり、第２単位駆動期間において、保持時間比が、１以上であり、かつ、所定値よりも小さいことを特徴とする。【選択図】図７
2017054777.tif 000002
【特許請求の範囲】
【請求項１】
第１電極および第２電極を有する放電灯に駆動電流を供給する放電灯駆動部と、
前記放電灯駆動部を制御する制御部と、
を備え、
前記制御部は、前記放電灯に交流電流が供給される第１期間および第２期間を交互に有する前記駆動電流を前記放電灯に供給し、
前記第１期間は、前記第１電極が陽極となる第１極性期間と前記第２電極が陽極となる第２極性期間とからなる第１単位駆動期間を複数連続して有し、
前記第２期間は、前記第１極性期間と前記第２極性期間とからなる第２単位駆動期間を複数連続して有し、
前記第１単位駆動期間において、前記第１極性期間および前記第２極性期間のうち一方の極性期間の長さが他方の極性期間の長さよりも大きく、かつ、前記他方の極性期間の長さに対する前記一方の極性期間の長さの比である保持時間比が所定値以上であり、
前記第２単位駆動期間において、前記保持時間比が、１以上であり、かつ、前記所定値よりも小さいことを特徴とする放電灯駆動装置。
【請求項２】
前記第２期間は、前記保持時間比が１となる前記第２単位駆動期間を少なくとも１つ以上含む第１周波数期間および第２周波数期間を有し、
前記第１周波数期間において前記放電灯に供給される交流電流の第１周波数と、前記第２周波数期間において前記放電灯に供給される交流電流の第２周波数とは、互いに異なる、請求項１に記載の放電灯駆動装置。
【請求項３】
前記第２期間において、前記放電灯に供給される交流電流の周波数は、時間的に増減する、請求項２に記載の放電灯駆動装置。
【請求項４】
前記第２期間は、直流電流が前記放電灯に供給される直流期間を有し、
前記直流期間の長さは、前記第１周波数の交流電流の半周期の長さ、および前記前記第２周波数の交流電流の半周期の長さよりも大きい、請求項２または３に記載の放電灯駆動装置。
【請求項５】
前記第１期間は、前記第１単位駆動期間において前記第１極性期間の長さが前記第２極性期間の長さよりも大きい第１交流期間と、前記第１単位駆動期間において前記第２極性期間の長さが前記第１極性期間の長さよりも大きい第２交流期間と、を含み、
前記第１交流期間と前記第２交流期間とは、前記第２期間を挟んで交互に設けられる、請求項１から４のいずれか一項に記載の放電灯駆動装置。
【請求項６】
前記放電灯の電極間電圧を検出する検出部を備え、
前記制御部は、検出された前記電極間電圧および前記放電灯に供給される駆動電力のうち少なくとも一方に応じて、前記第１期間の長さおよび前記第２期間の長さのうち少なくとも一方を変化させる、請求項１から５のいずれか一項に記載の放電灯駆動装置。
【請求項７】
前記制御部は、検出された前記電極間電圧に応じて前記第１期間の長さを変化させ、
前記第１期間の長さは、前記電極間電圧が第１所定電圧以下の範囲において、前記電極間電圧が大きくなるのに従って大きくなり、前記電極間電圧が前記第１所定電圧よりも大きい範囲では、前記電極間電圧が大きくなるのに従って小さくなる、請求項６に記載の放電灯駆動装置。
【請求項８】
前記制御部は、検出された前記電極間電圧に応じて前記第２期間の長さを変化させ、
前記第２期間の長さは、前記電極間電圧が第２所定電圧以下の範囲において、前記電極間電圧が大きくなるのに従って小さくなり、前記電極間電圧が前記第２所定電圧よりも大きい範囲では、前記電極間電圧が大きくなるのに従って大きくなる、請求項７に記載の放電灯駆動装置。
【請求項９】
前記第２所定電圧は、前記第１所定電圧よりも小さい、請求項８に記載の放電灯駆動装置。
【請求項１０】
前記放電灯の電極間電圧を検出する検出部を備え、
前記制御部は、検出された前記電極間電圧および前記放電灯に供給される駆動電力のうち少なくとも一方に応じて、前記第１期間における前記保持時間比を変化させる、請求項１から５のいずれか一項に記載の放電灯駆動装置。
【請求項１１】
前記制御部は、検出された前記電極間電圧に応じて前記保持時間比を変化させ、
前記保持時間比は、前記電極間電圧が第３所定電圧以下の範囲では、前記電極間電圧が大きくなるのに従って大きくなり、前記電極間電圧が前記第３所定電圧よりも大きい範囲では、前記電極間電圧が大きくなるのに従って小さくなる、請求項１０に記載の放電灯駆動装置。
【請求項１２】
前記放電灯の電極間電圧を検出する検出部を備え、
前記制御部は、検出された前記電極間電圧および前記放電灯に供給される駆動電力のうち少なくとも一方に応じて、前記直流期間の長さを変化させる、請求項４に記載の放電灯駆動装置。
【請求項１３】
光を射出する前記放電灯と、
請求項１から１２のいずれか一項に記載の放電灯駆動装置と、
を備えることを特徴とする光源装置。
【請求項１４】
請求項１３に記載の光源装置と、
前記光源装置から射出される光を画像信号に応じて変調する光変調装置と、
前記光変調装置により変調された光を投射する投射光学系と、
を備えることを特徴とするプロジェクター。
【請求項１５】
第１電極および第２電極を有する放電灯に駆動電流を供給して、前記放電灯を駆動する放電灯駆動方法であって、
前記放電灯に交流電流が供給される第１期間および第２期間が交互に繰り返され、
前記第１期間は、前記第１電極が陽極となる第１極性期間と前記第２電極が陽極となる第２極性期間とからなる第１単位駆動期間を複数連続して有し、
前記第２期間は、前記第１極性期間と前記第２極性期間とからなる第２単位駆動期間を複数連続して有し、
前記第１単位駆動期間において、前記第１極性期間および前記第２極性期間のうち一方の極性期間の長さが他方の極性期間の長さよりも大きく、かつ、前記他方の極性期間の長さに対する前記一方の極性期間の長さの比である保持時間比が所定値以上であり、
前記第２単位駆動期間において、前記保持時間比が、１以上であり、かつ、前記所定値よりも小さいことを特徴とする放電灯駆動方法。
【発明の詳細な説明】
【技術分野】
【０００１】
本発明は、放電灯駆動装置、光源装置、プロジェクター、および放電灯駆動方法に関する。
【背景技術】
【０００２】
放電灯が劣化してランプ電圧が低下すると、電極が溶融しにくくなるため、電極先端の突起が細くなり、放電灯の劣化が加速的に進行する問題が知られている。
これに対して、例えば、特許文献１に示すように、放電灯に供給される交流電流の間に直流電流を挿入し、放電灯の劣化状態の進行に伴って直流電流成分を増加させる方法が提案されている。
【先行技術文献】
【特許文献】
【０００３】
【特許文献１】特開２０１１−２３２８８号公報
【発明の概要】
【発明が解決しようとする課題】
【０００４】
しかしながら、上記のような方法では、直流電流によって陽極となる側の電極先端の突起の溶融量が向上される一方で、陰極となる側の電極の温度は低下するため、陰極となる側の電極先端の形状が変形し、フリッカーが生じる問題があった。したがって、放電灯の寿命を十分に向上できない場合があった。
【０００５】
本発明の一つの態様は、上記問題点に鑑みて成されたものであって、放電灯の寿命を向上できる放電灯駆動装置、そのような放電灯駆動装置を備える光源装置、およびそのような光源装置を備えるプロジェクターを提供することを目的の一つとする。また、本発明の一つの態様は、放電灯の寿命を向上できる放電灯駆動方法を提供することを目的の一つとする。
【課題を解決するための手段】
【０００６】
本発明の放電灯駆動装置の一つの態様は、第１電極および第２電極を有する放電灯に駆動電流を供給する放電灯駆動部と、前記放電灯駆動部を制御する制御部と、を備え、前記制御部は、前記放電灯に交流電流が供給される第１期間および第２期間を交互に有する前記駆動電流を前記放電灯に供給し、前記第１期間は、前記第１電極が陽極となる第１極性期間と前記第２電極が陽極となる第２極性期間とからなる第１単位駆動期間を複数連続して有し、前記第２期間は、前記第１極性期間と前記第２極性期間とからなる第２単位駆動期間を複数連続して有し、前記第１単位駆動期間において、前記第１極性期間および前記第２極性期間のうち一方の極性期間の長さが他方の極性期間の長さよりも大きく、かつ、前記他方の極性期間の長さに対する前記一方の極性期間の長さの比である保持時間比が所定値以上であり、前記第２単位駆動期間において、前記保持時間比が、１以上であり、かつ、前記所定値よりも小さいことを特徴とする。
【０００７】
本発明の放電灯駆動装置の一つの態様によれば、第１期間を構成する第１単位駆動期間において、他方の極性期間の長さに対する一方の極性期間の長さの比が所定値以上である。そのため、第１期間において、一方の極性期間において陽極となる電極先端の突起の溶融量を向上できる。一方で、第１期間を構成する複数の第１単位駆動期間ごとに、一方の極性期間よりも短い時間、反対極性となる他方の極性期間が設けられているため、他方の極性期間において陽極となる電極の温度が低下することを抑制できる。これにより、他方の電極における先端の突起が変形することを抑制でき、フリッカーが生じることを抑制できる。
【０００８】
したがって、本発明の放電灯駆動装置の一つの態様によれば、加熱される側の電極における先端の突起の溶融量を向上させつつ、加熱されるのと逆側の電極における先端の突起の変形を抑制してフリッカーを抑制できるため、放電灯の寿命を向上できる放電灯駆動装置が得られる。
【０００９】
また、第１極性期間と第２極性期間との長さの比が所定値よりも小さい第２単位駆動期間が複数連続する第２期間が、第１期間と交互に設けられる。そのため、第１期間において溶融された突起が、第２期間において、太く安定して成長しやすい。したがって、本発明の放電灯駆動装置の一つの態様によれば、放電灯の寿命をより向上できる。
【００１０】
前記第２期間は、前記保持時間比が１となる前記第２単位駆動期間を少なくとも１つ以上含む第１周波数期間および第２周波数期間を有し、前記第１周波数期間において前記放電灯に供給される交流電流の第１周波数と、前記第２周波数期間において前記放電灯に供給される交流電流の第２周波数とは、互いに異なる構成としてもよい。
この構成によれば、第２期間において電極の突起をより好適に成長させることができる。
【００１１】
前記第２期間において、前記放電灯に供給される交流電流の周波数は、時間的に増減する構成としてもよい。
この構成によれば、第２期間において電極の突起をより好適に成長させることができる。
【００１２】
前記第２期間は、直流電流が前記放電灯に供給される直流期間を有し、前記直流期間の長さは、前記第１周波数の交流電流の半周期の長さ、および前記前記第２周波数の交流電流の半周期の長さよりも大きい構成としてもよい。
この構成によれば、第２期間において、電極の突起をより好適に成長させることができる。
【００１３】
前記第１期間は、前記第１単位駆動期間において前記第１極性期間の長さが前記第２極性期間の長さよりも大きい第１交流期間と、前記第１単位駆動期間において前記第２極性期間の長さが前記第１極性期間の長さよりも大きい第２交流期間と、を含み、前記第１交流期間と前記第２交流期間とは、前記第２期間を挟んで交互に設けられる構成としてもよい。
この構成によれば、第１電極と第２電極との両方をバランスよく溶融することができる。
【００１４】
前記放電灯の電極間電圧を検出する検出部を備え、前記制御部は、検出された前記電極間電圧および前記放電灯に供給される駆動電力のうち少なくとも一方に応じて、前記第１期間の長さおよび前記第２期間の長さのうち少なくとも一方を変化させる構成としてもよい。
この構成によれば、電極間電圧の変化、あるいは駆動電力の変化に応じて、第１電極および第２電極を好適に溶融し、成長させることができる。
【００１５】
前記制御部は、検出された前記電極間電圧に応じて前記第１期間の長さを変化させ、前記第１期間の長さは、前記電極間電圧が第１所定電圧以下の範囲において、前記電極間電圧が大きくなるのに従って大きくなり、前記電極間電圧が前記第１所定電圧よりも大きい範囲では、前記電極間電圧が大きくなるのに従って小さくなる構成としてもよい。
この構成によれば、電極間電圧の変化に応じて、第１電極および第２電極を好適に溶融し、成長させることができる。
【００１６】
前記制御部は、検出された前記電極間電圧に応じて前記第２期間の長さを変化させ、前記第２期間の長さは、前記電極間電圧が第２所定電圧以下の範囲において、前記電極間電圧が大きくなるのに従って小さくなり、前記電極間電圧が前記第２所定電圧よりも大きい範囲では、前記電極間電圧が大きくなるのに従って大きくなる構成としてもよい。
この構成によれば、電極間電圧の変化に応じて、第１電極および第２電極を好適に溶融し、成長させることができる。
【００１７】
前記第２所定電圧は、前記第１所定電圧よりも小さい構成としてもよい。
この構成によれば、放電灯がある程度劣化した場合に、第１電極および第２電極を好適に溶融し、成長させることができる。
【００１８】
前記放電灯の電極間電圧を検出する検出部を備え、前記制御部は、検出された前記電極間電圧および前記放電灯に供給される駆動電力のうち少なくとも一方に応じて、前記第１期間における前記保持時間比を変化させる構成としてもよい。
この構成によれば、電極間電圧の変化、あるいは駆動電力の変化に応じて、第１電極および第２電極を好適に溶融し、成長させることができる。
【００１９】
前記制御部は、検出された前記電極間電圧に応じて前記保持時間比を変化させ、前記保持時間比は、前記電極間電圧が第３所定電圧以下の範囲では、前記電極間電圧が大きくなるのに従って大きくなり、前記電極間電圧が前記第３所定電圧よりも大きい範囲では、前記電極間電圧が大きくなるのに従って小さくなる構成としてもよい。
この構成によれば、電極間電圧の変化に応じて、第１電極および第２電極を好適に溶融し、成長させることができる。
【００２０】
前記放電灯の電極間電圧を検出する検出部を備え、前記制御部は、検出された前記電極間電圧および前記放電灯に供給される駆動電力のうち少なくとも一方に応じて、前記直流期間の長さを変化させる構成としてもよい。
この構成によれば、第２期間において、電極間電圧の変化、あるいは駆動電力の変化に応じて、電極の突起をより好適に成長させることができる。
【００２１】
本発明の光源装置の一つの態様は、光を射出する前記放電灯と、上記の放電灯駆動装置と、を備えることを特徴とする。
【００２２】
本発明の光源装置の一つの態様によれば、上記の放電灯駆動装置を備えるため、放電灯の寿命を向上できる。
【００２３】
本発明のプロジェクターの一つの態様は、上記の光源装置と、前記光源装置から射出される光を画像信号に応じて変調する光変調装置と、前記光変調装置により変調された光を投射する投射光学系と、を備えることを特徴とする。
【００２４】
本発明のプロジェクターの一つの態様によれば、上記の光源装置を備えるため、放電灯の寿命を向上できる。
【００２５】
本発明の放電灯駆動方法の一つの態様は、第１電極および第２電極を有する放電灯に駆動電流を供給して、前記放電灯を駆動する放電灯駆動方法であって、前記放電灯に交流電流が供給される第１期間および第２期間が交互に繰り返され、前記第１期間は、前記第１電極が陽極となる第１極性期間と前記第２電極が陽極となる第２極性期間とからなる第１単位駆動期間を複数連続して有し、前記第２期間は、前記第１極性期間と前記第２極性期間とからなる第２単位駆動期間を複数連続して有し、前記第１単位駆動期間において、前記第１極性期間および前記第２極性期間のうち一方の極性期間の長さが他方の極性期間の長さよりも大きく、かつ、前記他方の極性期間の長さに対する前記一方の極性期間の長さの比である保持時間比が所定値以上であり、前記第２単位駆動期間において、前記保持時間比が、１以上であり、かつ、前記所定値よりも小さいことを特徴とする。
【００２６】
本発明の放電灯駆動方法の一つの態様によれば、上述したのと同様に、放電灯の寿命を向上できる。
【図面の簡単な説明】
【００２７】
【図１】第１実施形態のプロジェクターの概略構成図である。
【図２】第１実施形態における放電灯を示す図である。
【図３】第１実施形態のプロジェクターの各種構成要素を示すブロック図である。
【図４】第１実施形態の放電灯点灯装置の回路図である。
【図５】第１実施形態の制御部の一構成例を示すブロック図である。
【図６】放電灯の電極先端の突起の様子を示す図である。
【図７】第１実施形態の駆動電流波形の一例を示す図である。
【図８】第１実施形態の駆動電流波形の他の一例を示す図である。
【図９】第２実施形態の駆動電流波形の一例を示す図である。
【発明を実施するための形態】
【００２８】
以下、図面を参照しながら、本発明の実施形態に係るプロジェクターについて説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２９】
＜第１実施形態＞
図１に示すように、本実施形態のプロジェクター５００は、光源装置２００と、平行化レンズ３０５と、照明光学系３１０と、色分離光学系３２０と、３つの液晶ライトバルブ（光変調装置）３３０Ｒ，３３０Ｇ，３３０Ｂと、クロスダイクロイックプリズム３４０と、投射光学系３５０と、を備えている。
【００３０】
光源装置２００から射出された光は、平行化レンズ３０５を通過して照明光学系３１０に入射する。平行化レンズ３０５は、光源装置２００からの光を平行化する。
【００３１】
照明光学系３１０は、光源装置２００から射出される光の照度を、液晶ライトバルブ３３０Ｒ，３３０Ｇ，３３０Ｂ上において均一化するように調整する。さらに、照明光学系３１０は、光源装置２００から射出される光の偏光方向を一方向に揃える。その理由は、光源装置２００から射出される光を液晶ライトバルブ３３０Ｒ，３３０Ｇ，３３０Ｂで有効に利用するためである。
【００３２】
照度分布と偏光方向とが調整された光は、色分離光学系３２０に入射する。色分離光学系３２０は、入射光を赤色光（Ｒ）、緑色光（Ｇ）、青色光（Ｂ）の３つの色光に分離する。３つの色光は、各色光に対応付けられた液晶ライトバルブ３３０Ｒ，３３０Ｇ，３３０Ｂにより、映像信号に応じてそれぞれ変調される。液晶ライトバルブ３３０Ｒ，３３０Ｇ，３３０Ｂは、後述する液晶パネル５６０Ｒ，５６０Ｇ，５６０Ｂと、偏光板（図示せず）と、を備えている。偏光板は、液晶パネル５６０Ｒ，５６０Ｇ，５６０Ｂのそれぞれの光入射側および光射出側に配置される。
【００３３】
変調された３つの色光は、クロスダイクロイックプリズム３４０により合成される。合成光は投射光学系３５０に入射する。投射光学系３５０は、入射光をスクリーン７００（図３参照）に投射する。これにより、スクリーン７００上に映像が表示される。なお、平行化レンズ３０５、照明光学系３１０、色分離光学系３２０、クロスダイクロイックプリズム３４０、投射光学系３５０の各々の構成としては、周知の構成を採用することができる。
【００３４】
図２は、光源装置２００の構成を示す断面図である。光源装置２００は、光源ユニット２１０と、放電灯点灯装置（放電灯駆動装置）１０と、を備えている。図２には、光源ユニット２１０の断面図が示されている。光源ユニット２１０は、主反射鏡１１２と、放電灯９０と、副反射鏡１１３と、を備えている。
【００３５】
放電灯点灯装置１０は、放電灯９０に駆動電流Ｉを供給して放電灯９０を点灯させる。主反射鏡１１２は、放電灯９０から放出された光を照射方向Ｄに向けて反射する。照射方向Ｄは、放電灯９０の光軸ＡＸと平行である。
【００３６】
放電灯９０の形状は、照射方向Ｄに沿って延びる棒状である。放電灯９０の一方の端部を第１端部９０ｅ１とし、放電灯９０の他方の端部を第２端部９０ｅ２とする。放電灯９０の材料は、例えば、石英ガラス等の透光性材料である。放電灯９０の中央部は球状に膨らんでおり、その内部は放電空間９１である。放電空間９１には、希ガス、金属ハロゲン化合物等を含む放電媒体であるガスが封入されている。
【００３７】
放電空間９１には、第１電極９２および第２電極９３の先端が突出している。第１電極９２は、放電空間９１の第１端部９０ｅ１側に配置されている。第２電極９３は、放電空間９１の第２端部９０ｅ２側に配置されている。第１電極９２および第２電極９３の形状は、光軸ＡＸに沿って延びる棒状である。放電空間９１には、第１電極９２および第２電極９３の電極先端部が、所定距離だけ離れて対向するように配置されている。第１電極９２および第２電極９３の材料は、例えば、タングステン等の金属である。
【００３８】
放電灯９０の第１端部９０ｅ１に、第１端子５３６が設けられている。第１端子５３６と第１電極９２とは、放電灯９０の内部を貫通する導電性部材５３４により電気的に接続されている。同様に、放電灯９０の第２端部９０ｅ２に、第２端子５４６が設けられている。第２端子５４６と第２電極９３とは、放電灯９０の内部を貫通する導電性部材５４４により電気的に接続されている。第１端子５３６および第２端子５４６の材料は、例えば、タングステン等の金属である。導電性部材５３４，５４４の材料としては、例えば、モリブデン箔が利用される。
【００３９】
第１端子５３６および第２端子５４６は、放電灯点灯装置１０に接続されている。放電灯点灯装置１０は、第１端子５３６および第２端子５４６に、放電灯９０を駆動するための駆動電流Ｉを供給する。その結果、第１電極９２および第２電極９３の間でアーク放電が起きる。アーク放電により発生した光（放電光）は、破線の矢印で示すように、放電位置から全方向に向かって放射される。
【００４０】
主反射鏡１１２は、固定部材１１４により、放電灯９０の第１端部９０ｅ１に固定されている。主反射鏡１１２は、放電光のうち、照射方向Ｄと反対側に向かって進む光を照射方向Ｄに向かって反射する。主反射鏡１１２の反射面（放電灯９０側の面）の形状は、放電光を照射方向Ｄに向かって反射できる範囲内において、特に限定されず、例えば、回転楕円形状であっても、回転放物線形状であってもよい。例えば、主反射鏡１１２の反射面の形状を回転放物線形状とした場合、主反射鏡１１２は、放電光を光軸ＡＸに略平行な光に変換することができる。これにより、平行化レンズ３０５を省略することができる。
【００４１】
副反射鏡１１３は、固定部材５２２により、放電灯９０の第２端部９０ｅ２側に固定されている。副反射鏡１１３の反射面（放電灯９０側の面）の形状は、放電空間９１の第２端部９０ｅ２側の部分を囲む球面形状である。副反射鏡１１３は、放電光のうち、主反射鏡１１２が配置された側と反対側に向かって進む光を主反射鏡１１２に向かって反射する。これにより、放電空間９１から放射される光の利用効率を高めることができる。
【００４２】
固定部材１１４，５２２の材料は、放電灯９０からの発熱に耐え得る耐熱材料である範囲内において、特に限定されず、例えば、無機接着剤である。主反射鏡１１２および副反射鏡１１３と放電灯９０との配置を固定する方法としては、主反射鏡１１２および副反射鏡１１３を放電灯９０に固定する方法に限らず、任意の方法を採用できる。例えば、放電灯９０と主反射鏡１１２とを、独立にプロジェクター５００の筐体（図示せず）に固定してもよい。副反射鏡１１３についても同様である。
【００４３】
以下、プロジェクター５００の回路構成について説明する。
図３は、本実施形態のプロジェクター５００の回路構成の一例を示す図である。プロジェクター５００は、図１に示した光学系の他、画像信号変換部５１０と、直流電源装置８０と、液晶パネル５６０Ｒ，５６０Ｇ，５６０Ｂと、画像処理装置５７０と、ＣＰＵ（Central Processing Unit）５８０と、を備えている。
【００４４】
画像信号変換部５１０は、外部から入力された画像信号５０２（輝度−色差信号やアナログＲＧＢ信号など）を所定のワード長のデジタルＲＧＢ信号に変換して画像信号５１２Ｒ，５１２Ｇ，５１２Ｂを生成し、画像処理装置５７０に供給する。
【００４５】
画像処理装置５７０は、３つの画像信号５１２Ｒ，５１２Ｇ，５１２Ｂに対してそれぞれ画像処理を行う。画像処理装置５７０は、液晶パネル５６０Ｒ，５６０Ｇ，５６０Ｂをそれぞれ駆動するための駆動信号５７２Ｒ，５７２Ｇ，５７２Ｂを液晶パネル５６０Ｒ，５６０Ｇ，５６０Ｂに供給する。
【００４６】
直流電源装置８０は、外部の交流電源６００から供給される交流電圧を一定の直流電圧に変換する。直流電源装置８０は、トランス（図示しないが、直流電源装置８０に含まれる）の２次側にある画像信号変換部５１０、画像処理装置５７０およびトランスの１次側にある放電灯点灯装置１０に直流電圧を供給する。
【００４７】
放電灯点灯装置１０は、起動時に放電灯９０の電極間に高電圧を発生し、絶縁破壊を生じさせて放電路を形成する。以後、放電灯点灯装置１０は、放電灯９０が放電を維持するための駆動電流Ｉを供給する。
【００４８】
液晶パネル５６０Ｒ，５６０Ｇ，５６０Ｂは、前述した液晶ライトバルブ３３０Ｒ，３３０Ｇ，３３０Ｂにそれぞれ備えられている。液晶パネル５６０Ｒ，５６０Ｇ，５６０Ｂは、それぞれ駆動信号５７２Ｒ，５７２Ｇ，５７２Ｂに基づいて、前述した光学系を介して各液晶パネル５６０Ｒ，５６０Ｇ，５６０Ｂに入射される色光の透過率（輝度）を変調する。
【００４９】
ＣＰＵ５８０は、プロジェクター５００の点灯開始から消灯に至るまでの各種の動作を制御する。例えば、図３の例では、通信信号５８２を介して点灯命令や消灯命令を放電灯点灯装置１０に出力する。ＣＰＵ５８０は、放電灯点灯装置１０から通信信号５８４を介して放電灯９０の点灯情報を受け取る。
【００５０】
以下、放電灯点灯装置１０の構成について説明する。
図４は、放電灯点灯装置１０の回路構成の一例を示す図である。
放電灯点灯装置１０は、図４に示すように、電力制御回路２０と、極性反転回路３０と、制御部４０と、動作検出部６０と、イグナイター回路７０と、を備えている。
【００５１】
電力制御回路２０は、放電灯９０に供給する駆動電力Ｗｄを生成する。本実施形態においては、電力制御回路２０は、直流電源装置８０からの電圧を入力とし、入力電圧を降圧して直流電流Ｉｄを出力するダウンチョッパー回路で構成されている。
【００５２】
電力制御回路２０は、スイッチ素子２１、ダイオード２２、コイル２３およびコンデンサー２４を含んで構成される。スイッチ素子２１は、例えば、トランジスターで構成される。本実施形態においては、スイッチ素子２１の一端は直流電源装置８０の正電圧側に接続され、他端はダイオード２２のカソード端子およびコイル２３の一端に接続されている。
【００５３】
コイル２３の他端にコンデンサー２４の一端が接続され、コンデンサー２４の他端はダイオード２２のアノード端子および直流電源装置８０の負電圧側に接続されている。スイッチ素子２１の制御端子には、後述する制御部４０から電流制御信号が入力されてスイッチ素子２１のＯＮ／ＯＦＦが制御される。電流制御信号には、例えば、ＰＷＭ（Pulse Width Modulation）制御信号が用いられてもよい。
【００５４】
スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００５５】
極性反転回路３０は、電力制御回路２０から入力される直流電流Ｉｄを所定のタイミングで極性反転させる。これにより、極性反転回路３０は、制御された時間だけ継続する直流である駆動電流Ｉ、もしくは、任意の周波数を持つ交流である駆動電流Ｉを生成し、出力する。本実施形態において、極性反転回路３０は、インバーターブリッジ回路（フルブリッジ回路）で構成されている。
【００５６】
極性反転回路３０は、例えば、トランジスターなどで構成される第１のスイッチ素子３１、第２のスイッチ素子３２、第３のスイッチ素子３３、および第４のスイッチ素子３４を含んでいる。極性反転回路３０は、直列接続された第１のスイッチ素子３１および第２のスイッチ素子３２と、直列接続された第３のスイッチ素子３３および第４のスイッチ素子３４と、が互いに並列接続された構成を有する。第１のスイッチ素子３１、第２のスイッチ素子３２、第３のスイッチ素子３３、および第４のスイッチ素子３４の制御端子には、それぞれ制御部４０から極性反転制御信号が入力される。この極性反転制御信号に基づいて、第１のスイッチ素子３１、第２のスイッチ素子３２、第３のスイッチ素子３３および第４のスイッチ素子３４のＯＮ／ＯＦＦ動作が制御される。
【００５７】
極性反転回路３０においては、第１のスイッチ素子３１および第４のスイッチ素子３４と、第２のスイッチ素子３２および第３のスイッチ素子３３と、を交互にＯＮ／ＯＦＦさせる動作が繰り返される。これにより、電力制御回路２０から出力される直流電流Ｉｄの極性が交互に反転する。極性反転回路３０は、第１のスイッチ素子３１と第２のスイッチ素子３２との共通接続点、および第３のスイッチ素子３３と第４のスイッチ素子３４との共通接続点から、制御された時間だけ同一極性状態を継続する直流である駆動電流Ｉ、もしくは制御された周波数をもつ交流である駆動電流Ｉを生成し、出力する。
【００５８】
すなわち、極性反転回路３０は、第１のスイッチ素子３１および第４のスイッチ素子３４がＯＮのときには第２のスイッチ素子３２および第３のスイッチ素子３３がＯＦＦであり、第１のスイッチ素子３１および第４のスイッチ素子３４がＯＦＦのときには第２のスイッチ素子３２および第３のスイッチ素子３３がＯＮであるように制御される。したがって、第１のスイッチ素子３１および第４のスイッチ素子３４がＯＮのときには、コンデンサー２４の一端から第１のスイッチ素子３１、放電灯９０、第４のスイッチ素子３４の順に流れる駆動電流Ｉが発生する。第２のスイッチ素子３２および第３のスイッチ素子３３がＯＮのときには、コンデンサー２４の一端から第３のスイッチ素子３３、放電灯９０、第２のスイッチ素子３２の順に流れる駆動電流Ｉが発生する。
【００５９】
本実施形態において、電力制御回路２０と極性反転回路３０とを合わせた部分が放電灯駆動部２３０に対応する。すなわち、放電灯駆動部２３０は、放電灯９０を駆動する駆動電流Ｉを放電灯９０に供給する。
【００６０】
制御部４０は、放電灯駆動部２３０を制御する。図４の例では、制御部４０は、電力制御回路２０および極性反転回路３０を制御することにより、駆動電流Ｉが同一極性を継続する保持時間、駆動電流Ｉの電流値（駆動電力Ｗｄの電力値）、周波数等のパラメーターを制御する。制御部４０は、極性反転回路３０に対して、駆動電流Ｉの極性反転タイミングにより、駆動電流Ｉが同一極性で継続する保持時間、駆動電流Ｉの周波数等を制御する極性反転制御を行う。制御部４０は、電力制御回路２０に対して、出力される直流電流Ｉｄの電流値を制御する電流制御を行う。
【００６１】
制御部４０の構成は、特に限定されない。本実施形態においては、制御部４０は、システムコントローラー４１、電力制御回路コントローラー４２、および極性反転回路コントローラー４３を含んで構成されている。なお、制御部４０は、その一部または全てを半導体集積回路で構成してもよい。
【００６２】
システムコントローラー４１は、電力制御回路コントローラー４２および極性反転回路コントローラー４３を制御することにより、電力制御回路２０および極性反転回路３０を制御する。システムコントローラー４１は、動作検出部６０が検出したランプ電圧（電極間電圧）Ｖｌａおよび駆動電流Ｉに基づき、電力制御回路コントローラー４２および極性反転回路コントローラー４３を制御してもよい。
【００６３】
本実施形態においては、システムコントローラー４１には、記憶部４４が接続されている。
システムコントローラー４１は、記憶部４４に格納された情報に基づき、電力制御回路２０および極性反転回路３０を制御してもよい。記憶部４４には、例えば、駆動電流Ｉが同一極性で継続する保持時間、駆動電流Ｉの電流値、周波数、波形、変調パターン等の駆動パラメーターに関する情報が格納されていてもよい。
【００６４】
電力制御回路コントローラー４２は、システムコントローラー４１からの制御信号に基づき、電力制御回路２０へ電流制御信号を出力することにより、電力制御回路２０を制御する。
【００６５】
極性反転回路コントローラー４３は、システムコントローラー４１からの制御信号に基づき、極性反転回路３０へ極性反転制御信号を出力することにより、極性反転回路３０を制御する。
【００６６】
制御部４０は、専用回路を用いて実現され、上述した制御や後述する処理の各種制御を行うようにすることができる。これに対して、制御部４０は、例えば、ＣＰＵが記憶部４４に記憶された制御プログラムを実行することによりコンピューターとして機能し、これらの処理の各種制御を行うようにすることもできる。
【００６７】
図５は、制御部４０の他の構成例について説明するための図である。図５に示すように、制御部４０は、制御プログラムにより、電力制御回路２０を制御する電流制御手段４０−１、極性反転回路３０を制御する極性反転制御手段４０−２として機能するように構成されてもよい。
【００６８】
図４に示した例では、制御部４０は、放電灯点灯装置１０の一部として構成されている。これに対して、制御部４０の機能の一部をＣＰＵ５８０が担うように構成されていてもよい。
【００６９】
動作検出部６０は、本実施形態においては、放電灯９０のランプ電圧Ｖｌａを検出して制御部４０にランプ電圧情報を出力する電圧検出部を含む。また、動作検出部６０は、駆動電流Ｉを検出して制御部４０に駆動電流情報を出力する電流検出部などを含んでいてもよい。本実施形態においては、動作検出部６０は、第１の抵抗６１、第２の抵抗６２および第３の抵抗６３を含んで構成されている。
【００７０】
本実施形態において、動作検出部６０の電圧検出部は、放電灯９０と並列に、互いに直列接続された第１の抵抗６１および第２の抵抗６２で分圧した電圧によりランプ電圧Ｖｌａを検出する。また、本実施形態において、電流検出部は、放電灯９０に直列に接続された第３の抵抗６３に発生する電圧により駆動電流Ｉを検出する。
【００７１】
イグナイター回路７０は、放電灯９０の点灯開始時にのみ動作する。イグナイター回路７０は、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を、放電灯９０の電極間（第１電極９２と第２電極９３との間）に供給する。本実施形態においては、イグナイター回路７０は、放電灯９０と並列に接続されている。
【００７２】
図６（Ａ），（Ｂ）には、第１電極９２および第２電極９３の先端部分が示されている。第１電極９２および第２電極９３の先端にはそれぞれ突起５５２ｐ，５６２ｐが形成されている。
【００７３】
第１電極９２と第２電極９３の間で生じる放電は、主として突起５５２ｐと突起５６２ｐとの間で生じる。本実施形態のように突起５５２ｐ，５６２ｐがある場合には、突起が無い場合と比べて、第１電極９２および第２電極９３における放電位置（アーク位置）の移動を抑えることができる。
【００７４】
図６（Ａ）は、第１電極９２が陽極として動作し、第２電極９３が陰極として動作する第１極性状態を示している。第１極性状態では、放電により、第２電極９３（陰極）から第１電極９２（陽極）へ電子が移動する。陰極（第２電極９３）からは電子が放出される。陰極（第２電極９３）から放出された電子は陽極（第１電極９２）の先端に衝突する。この衝突によって熱が生じ、陽極（第１電極９２）の先端（突起５５２ｐ）の温度が上昇する。
【００７５】
図６（Ｂ）は、第１電極９２が陰極として動作し、第２電極９３が陽極として動作する第２極性状態を示している。第２極性状態では、第１極性状態とは逆に、第１電極９２から第２電極９３へ電子が移動する。その結果、第２電極９３の先端（突起５６２ｐ）の温度が上昇する。
【００７６】
このように、放電灯９０に駆動電流Ｉが供給されることで、電子が衝突する陽極の温度は上昇する。一方、電子を放出する陰極は、陽極に向けて電子を放出している間、温度は低下する。
【００７７】
第１電極９２と第２電極９３との電極間距離は、突起５５２ｐ，５６２ｐの劣化とともに大きくなる。突起５５２ｐ，５６２ｐが損耗するためである。電極間距離が大きくなると、第１電極９２と第２電極９３との間の抵抗が大きくなるため、ランプ電圧Ｖｌａが大きくなる。したがって、ランプ電圧Ｖｌａを参照することによって、電極間距離の変化、すなわち、放電灯９０の劣化度合いを検出することができる。
【００７８】
なお、第１電極９２と第２電極９３とは、同様の構成であるため、以下の説明においては、代表して第１電極９２についてのみ説明する場合がある。また、第１電極９２の先端の突起５５２ｐと第２電極９３の先端の突起５６２ｐとは、同様の構成であるため、以下の説明においては、代表して突起５５２ｐについてのみ説明する場合がある。
【００７９】
次に、制御部４０による放電灯駆動部２３０の制御について説明する。
図７は、本実施形態の放電灯９０に供給される駆動電流Ｉの駆動電流波形を示す図である。図７において、縦軸は駆動電流Ｉを示しており、横軸は時間Ｔを示している。本実施形態において制御部４０は、図７に示す駆動電流波形に従って放電灯駆動部２３０を制御する。
【００８０】
駆動電流Ｉは、図７に示すように、第１期間ＰＨ１１および第２期間ＰＨ２１を交互に有する。第１期間ＰＨ１１と第２期間ＰＨ２１とは、駆動電流Ｉとして、電流値Ｉｍ１と電流値−Ｉｍ１との間で極性が反転される交流電流が放電灯９０に供給される期間である。
【００８１】
第１期間ＰＨ１１は、第１交流期間ＰＨ１１ａと、第２交流期間ＰＨ１１ｂと、を含む。第１交流期間ＰＨ１１ａは、第１電極９２が加熱される期間である。第２交流期間ＰＨ１１ｂは、第２電極９３が加熱される期間である。第１交流期間ＰＨ１１ａと第２交流期間ＰＨ１１ｂとは、第２期間ＰＨ２１を挟んで交互に設けられる。
【００８２】
第１交流期間ＰＨ１１ａは、第１電極９２が陽極となる第１極性期間Ｐ１１ａと第２電極９３が陽極となる第２極性期間Ｐ１１ｂとからなる第１単位駆動期間Ｕ１１を複数連続して有する。本実施形態において第１交流期間ＰＨ１１ａは、例えば、３つの第１単位駆動期間Ｕ１１、すなわち、第１単位駆動期間Ｕ１１ａと、第１単位駆動期間Ｕ１１ｂと、第１単位駆動期間Ｕ１１ｃとがこの順で連続するサイクルＣ１１を有する。図７の例では、第１交流期間ＰＨ１１ａは、２つのサイクルＣ１１が連続して構成されている。
【００８３】
第２交流期間ＰＨ１１ｂは、第１電極９２が陽極となる第１極性期間Ｐ１２ａと第２電極９３が陽極となる第２極性期間Ｐ１２ｂとからなる第１単位駆動期間Ｕ１２を複数連続して有する。本実施形態において第２交流期間ＰＨ１１ｂは、例えば、３つの第１単位駆動期間Ｕ１２、すなわち、第１単位駆動期間Ｕ１２ａと、第１単位駆動期間Ｕ１２ｂと、第１単位駆動期間Ｕ１２ｃとがこの順で連続するサイクルＣ１２を有する。図７の例では、第２交流期間ＰＨ１１ｂは、２つのサイクルＣ１２が連続して構成されている。
【００８４】
本実施形態の駆動電流Ｉにおいては、第１交流期間ＰＨ１１ａと第２交流期間ＰＨ１１ｂとは、極性が反転している点を除いて同様の波形を有する。すなわち、各第１単位駆動期間Ｕ１１ａ〜Ｕ１１ｃにおける第１極性期間Ｐ１１ａの長さｔ１１ａは、各第１単位駆動期間Ｕ１２ａ〜Ｕ１２ｃにおける第２極性期間Ｐ１２ｂの長さｔ１２ｂとそれぞれ同じである。各第１単位駆動期間Ｕ１１ａ〜Ｕ１１ｃにおける第２極性期間Ｐ１１ｂの長さｔ１１ｂは、各第１単位駆動期間Ｕ１２ａ〜Ｕ１２ｃにおける第１極性期間Ｐ１２ａの長さｔ１２ａと同じである。
【００８５】
そのため、本実施形態においては、第１交流期間ＰＨ１１ａの長さｔ１ａと第２交流期間ＰＨ１１ｂの長さｔ１ｂとは、等しい。本実施形態において、第１交流期間ＰＨ１１ａの長さｔ１ａおよび第２交流期間ＰＨ１１ｂの長さｔ１ｂは、例えば、５．０ｍｓ（ミリ秒）以上に設定される。このように設定することで、第１電極９２および第２電極９３における突起５５２ｐおよび突起５６２ｐの溶融量を向上できる。
【００８６】
なお、本明細書において、２つの期間の長さが等しいとは、２つの期間の長さが厳密に同一である場合だけでなく、２つの期間の長さの比が、０．９以上、１．１以下程度である範囲を含む。
【００８７】
上述したように、本実施形態においては、第１交流期間ＰＨ１１ａと第２交流期間ＰＨ１１ｂとは、極性が反転していることを除いて同様の波形を有するため、以下の説明においては、代表して第１交流期間ＰＨ１１ａについてのみ説明する場合がある。
【００８８】
第１交流期間ＰＨ１１ａの第１単位駆動期間Ｕ１１においては、第１極性期間Ｐ１１ａの長さｔ１１ａが第２極性期間Ｐ１１ｂの長さｔ１１ｂよりも大きく、かつ、第２極性期間Ｐ１１ｂの長さｔ１１ｂに対する第１極性期間Ｐ１１ａの長さｔ１１ａの比である保持時間比Ｐｋｔが所定値Ｘ（Ｘ＞１）以上である。
【００８９】
これにより、複数の第１単位駆動期間Ｕ１１を連続して有する第１交流期間ＰＨ１１ａにおいては、第１極性期間Ｐ１１ａの長さｔ１１ａの合計が、第２極性期間Ｐ１１ｂの長さｔ１１ｂの合計よりも大きい。したがって、第１交流期間ＰＨ１１ａにおいては、第１極性期間Ｐ１１ａにおいて陽極となる第１電極９２が加熱される。
【００９０】
本実施形態においては、例えば、上記の所定値Ｘは、３．０以上に設定される。言い換えると、第１交流期間ＰＨ１１ａにおける、第２極性期間Ｐ１１ｂの長さｔ１１ｂに対する第１極性期間Ｐ１１ａの長さｔ１１ａの比（保持時間比Ｐｋｔ）は、３．０以上である。
【００９１】
このように設定することで、加熱されるのと逆の電極、すなわち、第１交流期間ＰＨ１１ａにおいては第２電極９３の温度が低下することを抑制しつつ、第１交流期間ＰＨ１１ａにおいて加熱される第１電極９２の溶融量をより向上できる。
【００９２】
本実施形態においては、例えば、第１単位駆動期間Ｕ１１における第１極性期間Ｐ１１ａの長さｔ１１ａは、１．０ｍｓ（ミリ秒）以上である。言い換えると、第１極性期間Ｐ１１ａの長さｔ１１ａは、５００Ｈｚの交流電流の半周期の長さ以上である。このように設定することで、第１電極９２における先端の突起５５２ｐの溶融量を効果的に向上できる。
【００９３】
また、第１単位駆動期間Ｕ１１における第１極性期間Ｐ１１ａの長さｔ１１ａは、５．０ｍｓ（ミリ秒）以下、すなわち、１００Ｈｚの交流電流の半周期の長さ以下が好ましい。第１極性期間Ｐ１１ａにおいて陰極である第２電極９３の温度が低下することを効果的に抑制できるためである。
【００９４】
本実施形態において、第１単位駆動期間Ｕ１１における第２極性期間Ｐ１１ｂの長さｔ１１ｂは、例えば、約０．１６ｍｓ（ミリ秒）以上であり、かつ、１．０ｍｓ（ミリ秒）より小さい。言い換えると、第２極性期間Ｐ１１ｂの長さｔ１１ｂは、３ｋＨｚの交流電流の半周期の長さ以上であり、かつ、５００Ｈｚの交流電流の半周期の長さより小さい。このように設定することで、第１交流期間ＰＨ１１ａにおいて、第２電極９３の温度が低下することを抑制しつつ、第１電極９２の溶融量をより向上できる。
【００９５】
本実施形態においては、各第１単位駆動期間Ｕ１１ａ〜Ｕ１１ｃの長さは、例えば、互いに異なる。本実施形態においては、各第１単位駆動期間Ｕ１１ａ〜Ｕ１１ｃにそれぞれ含まれる第１極性期間Ｐ１１ａの長さｔ１１ａは、例えば、互いに異なる。また、各第１単位駆動期間Ｕ１１ａ〜Ｕ１１ｃにそれぞれ含まれる第２極性期間Ｐ１１ｂの長さｔ１１ｂは、例えば、互いに異なる。
【００９６】
第１交流期間ＰＨ１１ａにおける第１単位駆動期間Ｕ１１の第１極性期間Ｐ１１ａの長さｔ１１ａおよび第２極性期間Ｐ１１ｂの長さｔ１１ｂの一例を表１に示す。表１においては、合わせて第２極性期間Ｐ１１ｂの長さｔ１１ｂに対する第１極性期間Ｐ１１ａの長さｔ１１ａの比、すなわち、第２極性の保持時間に対する第１極性の保持時間の保持時間比Ｐｋｔを示している。
【００９７】
【表１】
2017054777.tif 000003
【００９８】
表１では、一例として、第１単位駆動期間Ｕ１１ａから第１単位駆動期間Ｕ１１ｃの順に、第１極性期間Ｐ１１ａの長さｔ１１ａおよび第２極性期間Ｐ１１ｂの長さｔ１１ｂが大きくなる。表１において保持時間比Ｐｋｔは、例えば、いずれの第１単位駆動期間Ｕ１１においても同じである。
【００９９】
第２交流期間ＰＨ１１ｂの第１単位駆動期間Ｕ１２においては、第２極性期間Ｐ１２ｂの長さｔ１２ｂが第１極性期間Ｐ１２ａの長さｔ１２ａよりも大きく、かつ、第１極性期間Ｐ１２ａの長さｔ１２ａに対する第２極性期間Ｐ１２ｂの長さｔ１２ｂの比である保持時間比Ｐｋｔが所定値Ｘ（Ｘ＞１）以上である。
【０１００】
これにより、複数の第１単位駆動期間Ｕ１２を連続して有する第２交流期間ＰＨ１１ｂにおいては、第２極性期間Ｐ１２ｂの長さｔ１２ｂの合計が、第１極性期間Ｐ１２ａの長さｔ１２ａの合計よりも大きい。したがって、第２交流期間ＰＨ１１ｂにおいては、第２極性期間Ｐ１２ｂにおいて陽極となる第２電極９３が加熱される。
【０１０１】
第２期間ＰＨ２１は、第１周波数期間Ｐｆ１と、第２周波数期間Ｐｆ２と、を有する。本実施形態において第２期間ＰＨ２１は、第１周波数期間Ｐｆ１と第２周波数期間Ｐｆ２とを交互に有するサイクルＣ２１を有する。図７の例では、第２期間ＰＨ２１は、２つのサイクルＣ２１が連続して構成されている。図７の例では、サイクルＣ２１は、３つの第１周波数期間Ｐｆ１と、２つの第２周波数期間Ｐｆ２と、を有する。
【０１０２】
第１周波数期間Ｐｆ１は、第２単位駆動期間Ｕ２１を少なくとも１つ以上含む。第２周波数期間Ｐｆ２は、第２単位駆動期間Ｕ２２を少なくとも１つ以上含む。図７の例では、第１周波数期間Ｐｆ１は、第２単位駆動期間Ｕ２１を１つ、または２つ含む。第２周波数期間Ｐｆ２は、第２単位駆動期間Ｕ２２を１つ含む。
【０１０３】
第２単位駆動期間Ｕ２１，Ｕ２２を含む第１周波数期間Ｐｆ１および第２周波数期間Ｐｆ２が連続して設けられるため、第２期間ＰＨ２１は、第２単位駆動期間を複数連続して有する。
【０１０４】
第２単位駆動期間Ｕ２１は、第１電極９２が陽極となる第１極性期間Ｐ２１ａと第２電極９３が陽極となる第２極性期間Ｐ２１ｂとからなる。第２単位駆動期間Ｕ２２は、第１電極９２が陽極となる第１極性期間Ｐ２２ａと第２電極９３が陽極となる第２極性期間Ｐ２２ｂとからなる。
【０１０５】
第２単位駆動期間Ｕ２１においては、第２極性期間Ｐ２１ｂの長さｔ２１ｂに対する第１極性期間Ｐ２１ａの長さｔ２１ａの比である保持時間比Ｐｋｔが、１以上であり、かつ、所定値Ｘよりも小さい。これは、第２単位駆動期間Ｕ２２についても同様である。
【０１０６】
図７の例では、第１極性期間Ｐ２１ａの長さｔ２１ａと第２極性期間Ｐ２１ｂの長さｔ２１ｂとは、同じである。すなわち、第２極性期間Ｐ２１ｂの長さｔ２１ｂに対する第１極性期間Ｐ２１ａの長さｔ２１ａの比である保持時間比Ｐｋｔが、１である。第１極性期間Ｐ２２ａの長さｔ２２ａと第２極性期間Ｐ２２ｂの長さｔ２２ｂとは、同じである。これにより、図７の例における第２期間ＰＨ２１においては、例えば、１周期または２周期の所定周波数の矩形波交流電流が放電灯９０に供給される。より詳細には、図７に示されるサイクルＣ２１は、１周期の第１周波数ｆ１の交流電流が放電灯９０に供給される第１周波数期間Ｐｆ１と、１周期の第２周波数ｆ２の交流電流が放電灯９０に供給される第２周波数期間Ｐｆ２と、２周期の第１周波数ｆ１の交流電流が放電灯９０に供給される第１周波数期間Ｐｆ１と、を含む。
【０１０７】
第１周波数期間Ｐｆ１において放電灯９０に供給される交流電流の第１周波数ｆ１と、第２周波数期間Ｐｆ２において放電灯９０に供給される交流電流の第２周波数ｆ２とは、互いに異なる。図７の例では、第１周波数ｆ１は、第２周波数ｆ２よりも高い。
【０１０８】
サイクルＣ２１において、第１周波数期間Ｐｆ１と第２周波数期間Ｐｆ２とは、交互に設けられるため、放電灯９０に供給される交流電流の周波数は、増減を繰り返す。すなわち、第２期間ＰＨ２１において、放電灯９０に供給される交流電流の周波数は、時間的に増減する。第１周波数ｆ１と第２周波数ｆ２とは、特に限定されない。
【０１０９】
本実施形態において制御部４０は、検出されたランプ電圧Ｖｌａおよび放電灯９０に供給される駆動電力Ｗｄのうち少なくとも一方に応じて、第１期間ＰＨ１１の長さｔ１および第２期間ＰＨ２１の長さｔ２のうち少なくとも一方を変化させる。一例として、表２に、ランプ電圧Ｖｌａに応じて、第１期間ＰＨ１１の長さｔ１および第２期間ＰＨ２１の長さｔ２が変化する例を示す。表２においては、合わせて第１期間ＰＨ１１の長さｔ１に対する第２期間ＰＨ２１の長さｔ２の比である時間比Ｐｔを示している。
【０１１０】
なお、表２においては、ランプ電圧Ｖｌａが６０Ｖ以下、あるいは１００Ｖよりも大きい場合には、例えば、第１期間ＰＨ１１は設けられず、第２期間ＰＨ２１のみが設けられる例を示している。
【０１１１】
【表２】
2017054777.tif 000004
【０１１２】
表２において第１期間ＰＨ１１の長さｔ１は、ランプ電圧Ｖｌａが９０Ｖまではランプ電圧Ｖｌａの上昇に伴って段階的に大きくなり、ランプ電圧Ｖｌａが９０Ｖを超えると、小さくなる。言い換えると、第１期間ＰＨ１１の長さｔ１は、ランプ電圧Ｖｌａが第１所定電圧Ｖｌａ１（表２では９０Ｖ）以下の範囲では、ランプ電圧Ｖｌａが大きくなるのに従って大きくなり、ランプ電圧Ｖｌａが第１所定電圧Ｖｌａ１よりも大きい範囲では、ランプ電圧Ｖｌａが大きくなるのに従って小さくなる。
【０１１３】
表２において第２期間ＰＨ２１の長さｔ２は、ランプ電圧Ｖｌａが８０Ｖまではランプ電圧Ｖｌａの上昇に伴って段階的に小さくなり、ランプ電圧Ｖｌａが８０Ｖを超えると、大きくなる。言い換えると、第２期間ＰＨ２１の長さｔ２は、ランプ電圧Ｖｌａが第２所定電圧Ｖｌａ２（表２では８０Ｖ）以下の範囲では、ランプ電圧Ｖｌａが大きくなるのに従って小さくなり、ランプ電圧Ｖｌａが第２所定電圧Ｖｌａ２よりも大きい範囲では、ランプ電圧Ｖｌａが大きくなるのに従って大きくなる。
【０１１４】
表２では、第１所定電圧Ｖｌａ１は、９０Ｖであり、第２所定電圧Ｖｌａ２は、８０Ｖである。すなわち、第２所定電圧Ｖｌａ２は、第１所定電圧Ｖｌａ１よりも小さい。
【０１１５】
第１期間ＰＨ１１の長さｔ１の変化は、例えば、サイクルＣ１１の繰り返し回数を変化させることで行ってもよいし、サイクルＣ１１の長さを変化させることで行ってもよい。第２期間ＰＨ２１の長さｔ２の変化は、例えば、サイクルＣ２１の繰り返し回数を変化させることで行ってもよいし、サイクルＣ２１の長さを変化させることで行ってもよい。
【０１１６】
制御部４０は、上記のように第１期間ＰＨ１１の長さｔ１および第２期間ＰＨ２１の長さｔ２を変化させることで、ランプ電圧Ｖｌａに応じて時間比Ｐｔを変化させる。表２において時間比Ｐｔは、ランプ電圧Ｖｌａが８０Ｖまではランプ電圧Ｖｌａの上昇に伴って段階的に小さくなり、ランプ電圧Ｖｌａが８０Ｖを超えると、大きくなる。言い換えると、時間比Ｐｔは、ランプ電圧Ｖｌａが所定の値以下の範囲では、ランプ電圧Ｖｌａが大きくなるのに従って小さくなり、ランプ電圧Ｖｌａが所定の値よりも大きい範囲では、ランプ電圧Ｖｌａが大きくなるのに従って大きくなる。
【０１１７】
以上に説明したように、本実施形態の制御部４０は、上記説明した各期間に応じた駆動電流Ｉが放電灯９０に供給されるようにして放電灯駆動部２３０を制御する。
【０１１８】
上記の制御部４０による放電灯駆動部２３０の制御は、放電灯駆動方法として表現することもできる。すなわち、本実施形態の放電灯駆動方法は、第１電極９２および第２電極９３を有する放電灯９０に駆動電流Ｉを供給して、放電灯９０を駆動する放電灯駆動方法であって、放電灯９０に交流電流が供給される第１期間ＰＨ１１および第２期間ＰＨ２１が交互に繰り返され、第１期間ＰＨ１１は、第１電極９２が陽極となる第１極性期間Ｐ１１ａ，Ｐ１２ａと第２電極９３が陽極となる第２極性期間Ｐ１１ｂ，Ｐ１２ｂとからなる第１単位駆動期間Ｕ１１，Ｕ１２を複数連続して有し、第２期間ＰＨ２１は、第１電極９２が陽極となる第１極性期間Ｐ２１ａ，Ｐ２２ａと第２電極９３が陽極となる第２極性期間Ｐ２１ｂ，Ｐ２２ｂとからなる第２単位駆動期間Ｕ２１，Ｕ２２を複数連続して有し、第１単位駆動期間Ｕ１１，Ｕ１２においては、第１極性期間Ｐ１１ａ，Ｐ１２ａおよび第２極性期間Ｐ１１ｂ，Ｐ１２ｂのうち一方の極性期間の長さが他方の極性期間の長さよりも大きく、かつ、前記他方の極性期間の長さに対する前記一方の極性期間の長さの比である保持時間比Ｐｋｔが所定値Ｘ以上であり、第２単位駆動期間Ｕ２１，Ｕ２２においては、保持時間比Ｐｋｔが、１以上であり、かつ、所定値Ｘよりも小さいことを特徴とする。
【０１１９】
本実施形態によれば、第１期間ＰＨ１１（第１交流期間ＰＨ１１ａ）を構成する第１単位駆動期間Ｕ１１において、保持時間比Ｐｋｔが所定値Ｘよりも大きい。そのため、第１期間ＰＨ１１（第１交流期間ＰＨ１１ａ）において、第１極性期間Ｐ１１ａの長さｔ１１ａの合計が、第２極性期間Ｐ１１ｂの長さｔ１１ｂの合計よりも大きくなり、第１極性期間Ｐ１１ａにおいて陽極となる第１電極９２の突起５５２ｐの溶融量を向上できる。
【０１２０】
一方で、第１交流期間ＰＨ１１ａを構成する複数の第１単位駆動期間Ｕ１１ごとに、第１極性期間Ｐ１１ａよりも短い時間、反対極性となる第２極性期間Ｐ１１ｂが設けられているため、第２極性期間Ｐ１１ｂにおいて陽極となる第２電極９３の温度が低下することを抑制できる。これにより、第２電極９３の突起５６２ｐが変形することを抑制でき、フリッカーが生じることを抑制できる。第２交流期間ＰＨ１１ｂにおいても、極性が反転する点を除いて同様である。
【０１２１】
したがって、本実施形態によれば、加熱される側の電極における先端の突起の溶融量を向上させつつ、加熱されるのと逆側の電極における先端の突起の変形を抑制してフリッカーを抑制できるため、放電灯９０の寿命を向上できる放電灯駆動装置が得られる。
【０１２２】
また、本実施形態によれば、保持時間比Ｐｋｔが１以上で、かつ、所定値Ｘよりも小さい第２単位駆動期間Ｕ２１，Ｕ２２を連続して有する第２期間ＰＨ２１が設けられる。そのため、第２期間ＰＨ２１においては、第１電極９２および第２電極９３の両方に対して、比較的小さい熱負荷を同程度に加えることができる。これにより、第１期間ＰＨ１１において溶融した電極の突起に対して、適度な熱負荷を加えつつ、突起を成長させることができる。したがって、先端が丸みを帯び、太く安定した突起を形成しやすい。
【０１２３】
このように、本実施形態によれば、第１期間ＰＨ１１と第２期間ＰＨ２１とを交互に繰り返すことによって、第１電極９２の形状および第２電極９３の形状を安定して維持することができ、放電灯９０の寿命をより向上させることができる。
【０１２４】
また、本実施形態によれば、第２期間ＰＨ２１は、放電灯９０に供給される交流電流の周波数が異なる第１周波数期間Ｐｆ１と第２周波数期間Ｐｆ２とを有する。第１周波数期間Ｐｆ１および第２周波数期間Ｐｆ２においては、第２単位駆動期間における第１極性期間の長さと第２極性期間の長さとが同じである。そのため、第１電極９２の突起５５２ｐと第２電極９３の突起５６２ｐとの両方に同程度に熱負荷を加えることができ、各突起を共に安定して成長させることができる。また、放電灯９０に供給される交流電流の周波数が変化するため、第１電極９２および第２電極９３に適度な熱負荷による刺激の変化を加えることができ、突起５５２ｐ，５６２ｐをより成長させやすい。
【０１２５】
また、本実施形態によれば、第２期間ＰＨ２１において放電灯９０に供給される交流電流の周波数は、時間的に増減する。これにより、第１電極９２および第２電極９３に加えられる熱負荷を好適に変化させることができ、突起５５２ｐ，５６２ｐをより成長させやすい。
【０１２６】
また、本実施形態によれば、第１期間ＰＨ１１は、第１交流期間ＰＨ１１ａと第２交流期間ＰＨ１１ｂとを含み、第１交流期間ＰＨ１１ａと第２交流期間ＰＨ１１ｂとは、第２期間ＰＨ２１を挟んで交互に設けられる。第２交流期間ＰＨ１１ｂは、第１交流期間ＰＨ１１ａに対して、極性が反転している。そのため、第１交流期間ＰＨ１１ａによって第１電極９２の溶融量を向上できると共に、第２交流期間ＰＨ１１ｂによって第２電極９３の溶融量を向上できる。したがって、本実施形態によれば、第１電極９２の突起５５２ｐおよび第２電極９３の突起５６２ｐをバランスよく安定して維持できる。
【０１２７】
また、本実施形態によれば、ランプ電圧Ｖｌａおよび駆動電力Ｗｄのうち少なくとも一方に応じて、第１期間ＰＨ１１の長さｔ１および第２期間ＰＨ２１の長さｔ２が変化する。そのため、放電灯９０の劣化、および駆動電力Ｗｄの変化に合わせて、第１電極９２および第２電極９３に加えられる熱負荷を適切に調整することができる。
【０１２８】
例えば、放電灯９０が初期状態に近い状態（劣化していない状態）では、第１電極９２の突起５５２ｐは比較的成長しやすいため、第１電極９２に加える熱負荷を大きくする必要がない。むしろ、第１電極９２に加える熱負荷を大きくすると、突起５５２ｐが溶融し過ぎて、突起５５２ｐの成長を阻害する虞がある。これにより、放電灯９０が劣化していない状態では、第１電極９２に加えられる熱負荷を比較的小さくすることが好ましい。
【０１２９】
また、放電灯９０の劣化がある程度進行すると、第１電極９２の突起５５２ｐは溶融しにくくなる。そのため、放電灯９０が劣化するのに応じて、第１電極９２に加えられる熱負荷を大きくすることが好ましい。
【０１３０】
また、放電灯９０の劣化がさらに進行すると、突起５５２ｐが細くなりやすいため、第１電極９２に加えられる熱負荷が大きいと、突起５５２ｐが消失する虞がある。そのため、放電灯９０の劣化がある程度以上に進行した後は、第１電極９２に加えられる熱負荷を小さくすることが好ましい。
【０１３１】
これに対して、本実施形態によれば、第１期間ＰＨ１１の長さｔ１は、ランプ電圧Ｖｌａが第１所定電圧Ｖｌａ１以下の範囲では、ランプ電圧Ｖｌａが大きくなるのに従って大きくなり、ランプ電圧Ｖｌａが第１所定電圧Ｖｌａ１よりも大きい範囲では、ランプ電圧Ｖｌａが大きくなるのに従って小さくなる。第１期間ＰＨ１１の長さｔ１が大きくなる程、第１電極９２に加えられる熱負荷は大きくなる。
【０１３２】
そのため、放電灯９０が劣化していない状態では、第１電極９２に加えられる熱負荷を比較的小さくでき、かつ、放電灯９０が劣化し始めると、劣化に合わせて熱負荷を大きくできる。そして、放電灯９０の劣化がある程度進行した後には、第１電極９２に加えられる熱負荷を比較的小さくできる。したがって、本実施形態によれば、放電灯９０の劣化に応じて、第１電極９２に加えられる熱負荷を好適に調整することができる。
【０１３３】
また、所定時間内に設けられる第１期間ＰＨ１１の数が大きくなる程、所定時間内に第１電極９２に加えられる熱負荷は大きくなる。所定時間内に設けられる第１期間ＰＨ１１の数は、例えば第２期間ＰＨ２１の長さｔ２に応じて変化する。すなわち、第２期間ＰＨ２１の長さｔ２が大きくなる程、第１期間ＰＨ１１が終了してから次の第１期間ＰＨ１１が開始するまでの時間が長くなるため、所定時間内に設けられる第１期間ＰＨ１１の数は少なくなる。したがって、第２期間ＰＨ２１の長さｔ２が大きい程、所定時間内に第１電極９２に加えられる熱負荷が小さくなり、第２期間ＰＨ２１の長さｔ２が小さい程、所定時間内に第１電極９２に加えられる熱負荷は大きくなる。
【０１３４】
そのため、表２に示したように、第２期間ＰＨ２１の長さｔ２を、ランプ電圧Ｖｌａが第２所定電圧Ｖｌａ２以下の範囲ではランプ電圧Ｖｌａが大きくなるのに従って小さくし、ランプ電圧Ｖｌａが第２所定電圧Ｖｌａ２よりも大きい範囲ではランプ電圧Ｖｌａが大きくなるのに従って大きくすることで、第１電極９２に加えられる熱負荷をより好適に調整することができる。
【０１３５】
ここで、第２期間ＰＨ２１においては、第１期間ＰＨ１１で溶融した第１電極９２の突起５５２ｐが成長する。放電灯９０が劣化してランプ電圧Ｖｌａが大きくなった場合、突起５５２ｐが成長しにくくなるため、第２期間ＰＨ２１の長さｔ２が小さすぎると、突起５５２ｐの成長が不十分になる虞がある。
【０１３６】
これに対して、本実施形態によれば、表２に示すように、第１期間ＰＨ１１の長さｔ１は、ランプ電圧Ｖｌａが９０Ｖになるまで大きくなっているのに対して、第２期間ＰＨ２１の長さｔ２は、ランプ電圧Ｖｌａが８０Ｖになるまで小さくなり、ランプ電圧Ｖｌａが８０Ｖよりも大きい範囲では、大きくなっている。
【０１３７】
このように、放電灯９０がある程度劣化して、ランプ電圧Ｖｌａがある程度大きくなった場合には、第１期間ＰＨ１１の長さｔ１を大きくして第１電極９２に加えられる熱負荷を大きくしつつ、第２期間ＰＨ２１の長さｔ２もある程度大きくすることで、第１電極９２の突起５５２ｐをより効果的に成長させることができる。
【０１３８】
なお、本実施形態においては、以下の構成および方法を採用することもできる。以下の説明においては、上記と同様の構成については、適宜同一の符号を付す等により、説明を省略する場合がある。
【０１３９】
本実施形態において制御部４０は、駆動電力Ｗｄに応じて第１期間ＰＨ１１の長さｔ１および第２期間ＰＨ２１の長さｔ２のうち少なくとも一方を変化させてもよい。表３に、制御部４０が駆動電力Ｗｄに応じて第１期間ＰＨ１１の長さｔ１を変化させる場合の一例を示す。
【０１４０】
【表３】
2017054777.tif 000005
【０１４１】
表３において第１期間ＰＨ１１の長さｔ１は、駆動電力Ｗｄが小さくなるのに従って、大きくなる。
【０１４２】
例えば、駆動電力Ｗｄが比較的小さい場合には、放電灯９０に供給される駆動電流Ｉが小さくなるため、第１電極９２に加えられる熱負荷が比較的小さくなる。これにより、第１電極９２の突起５５２ｐの溶融が不十分になる虞がある。また、一方で、駆動電力Ｗｄが比較的大きい場合には、放電灯９０に供給される駆動電流Ｉが大きくなるため、第１電極９２に加えられる熱負荷が比較的大きくなる。これにより、第１電極９２の突起５５２ｐが過度に溶融する虞がある。
【０１４３】
これに対して、駆動電力Ｗｄが小さくなるのに従って第１期間ＰＨ１１の長さｔ１を大きくすることで、駆動電力Ｗｄが比較的小さい場合には、第１期間ＰＨ１１の長さｔ１を大きくして第１電極９２に加えられる熱負荷を大きくできる。また、駆動電力Ｗｄが比較的大きい場合には、第１期間ＰＨ１１の長さｔ１を小さくして第１電極９２に加えられる熱負荷を小さくできる。したがって、この構成によれば、駆動電力Ｗｄの変化に応じて、第１期間ＰＨ１１の長さｔ１を好適に調整することができ、突起５５２ｐを好適に溶融することができる。
【０１４４】
この構成において、駆動電力Ｗｄに応じて第２期間ＰＨ２１の長さｔ２１を変化させる場合には、例えば、駆動電力Ｗｄが小さくなるのに従って第２期間ＰＨ２１の長さｔ２を小さくする。これにより、駆動電力Ｗｄが小さい場合には、所定時間内に設けられる第１期間ＰＨ１１の数を大きくでき、駆動電力Ｗｄが大きい場合には、所定時間内に設けられる第１期間ＰＨ１１の数を小さくできる。したがって、駆動電力Ｗｄの変化に応じて、突起５５２ｐを好適に溶融することができる。
【０１４５】
また、本実施形態においては、ランプ電圧Ｖｌａおよび駆動電力Ｗｄの両方に応じて、第１期間ＰＨ１１の長さｔ１および第２期間ＰＨ２１の長さｔ２の両方を変化させてもよいし、第１期間ＰＨ１１の長さｔ１および第２期間ＰＨ２１の長さｔ２のうちいずれか一方のみを変化させてもよい。
【０１４６】
また、本実施形態において制御部４０は、ランプ電圧Ｖｌａおよび駆動電力Ｗｄのうち少なくとも一方に応じて、第１期間ＰＨ１１における保持時間比Ｐｋｔを変化させてもよい。一例として、制御部４０がランプ電圧Ｖｌａに応じて保持時間比Ｐｋｔを変化させる例を表４に示す。表４においては、合わせて第１極性期間Ｐ１１ａの平均の長さを示している。
【０１４７】
なお、表４においては、ランプ電圧Ｖｌａが６０Ｖ以下、あるいは１００Ｖよりも大きい場合には、例えば、第１期間ＰＨ１１は設けられず、第２期間ＰＨ２１のみが設けられる例を示している。
【０１４８】
【表４】
2017054777.tif 000006
【０１４９】
表４において保持時間比Ｐｋｔは、ランプ電圧Ｖｌａが９０Ｖまではランプ電圧Ｖｌａの上昇に伴って段階的に大きくなり、ランプ電圧Ｖｌａが９０Ｖを超えると、小さくなる。言い換えると、保持時間比Ｐｋｔは、ランプ電圧Ｖｌａが第３所定電圧Ｖｌａ３（表４では９０Ｖ）以下の範囲では、ランプ電圧Ｖｌａが大きくなるのに従って大きくなり、ランプ電圧Ｖｌａが第３所定電圧Ｖｌａ３よりも大きい範囲では、ランプ電圧Ｖｌａが大きくなるのに従って小さくなる。
【０１５０】
保持時間比Ｐｋｔの変化は、例えば、第１極性期間Ｐ１１ａの長さｔ１１ａを変化させることで行う。すなわち、表４に示すように、ランプ電圧Ｖｌａの変化に応じて第１極性期間Ｐ１１ａの平均の長さを変化させることで、保持時間比Ｐｋｔを上述したように変化させる。このとき、第２極性期間Ｐ１１ｂの長さｔ１１ｂは、例えば、一定である。
【０１５１】
保持時間比Ｐｋｔが大きくなる程、第１単位駆動期間Ｕ１１における第１極性期間Ｐ１１ａの割合が大きくなる。そのため、第１期間ＰＨ１１（第１交流期間ＰＨ１１ａ）において、第１極性期間Ｐ１１ａの長さｔ１１ａの合計が占める割合が大きくなる。これにより、第１期間ＰＨ１１において第１電極９２に加えられる熱負荷は、保持時間比Ｐｋｔが大きくなる程、大きくなる。
【０１５２】
したがって、ランプ電圧Ｖｌａおよび駆動電力Ｗｄのうち少なくとも一方に応じて、第１期間ＰＨ１１における保持時間比Ｐｋｔを変化させることで、第１電極９２に加えられる熱負荷を好適に変化させることができる。また、ランプ電圧Ｖｌａの変化に応じて、保持時間比Ｐｋｔを上述したように増減させることで、上述した第１期間ＰＨ１１の長さｔ１の変化と同様に、第１電極９２に加えられる熱負荷を好適に調整できる。
【０１５３】
また他の一例として、制御部４０が駆動電力Ｗｄに応じて保持時間比Ｐｋｔを変化させる例を表５に示す。表５においては、合わせて第１極性期間Ｐ１１ａの平均の長さを示している。
【０１５４】
【表５】
2017054777.tif 000007
【０１５５】
表５において保持時間比Ｐｋｔは、駆動電力Ｗｄが小さくなるのに従って、大きくなる。これにより、上述した駆動電力Ｗｄの変化に対する第１期間ＰＨ１１の長さｔ１の変化と同様に、駆動電力Ｗｄの変化に対して、第１電極９２に加えられる熱負荷を好適に変化させることができる。このとき、第１極性期間Ｐ１１ａの平均の長さは、駆動電力Ｗｄが小さくなるのに従って、大きくなる。これにより、制御部４０は、保持時間比Ｐｋｔを変化させる。
【０１５６】
また、本実施形態において放電灯９０に供給される駆動電流Ｉは、図８に示すような駆動電流波形であってもよい。図８は、本実施形態の駆動電流波形の他の一例を示す図である。
【０１５７】
図８に示すように、第１期間ＰＨ１２は、調整期間ＤＰｃを有する。調整期間ＤＰｃは、第１期間ＰＨ１２から第２期間ＰＨ２１に移行する直前に設けられる。調整期間ＤＰｃは、サイクルＣ１１とサイクルＣ２１との間に位置する。調整期間ＤＰｃは、第１期間ＰＨ１２において加熱される側の電極が陽極となる極性、すなわち図８の例では第１極性の直流電流が放電灯９０に供給される期間である。
【０１５８】
調整期間ＤＰｃの長さｔｃは、例えば、調整期間ＤＰｃの直前に設けられる第２極性期間Ｐ１１ｂの長さｔ１１ｂよりも大きく、かつ、第２極性期間Ｐ１１ｂの長さｔ１１ｂに対する比が所定値Ｘ以上となるように設定される。
【０１５９】
この構成によれば、調整期間ＤＰｃが設けられることで、第１期間ＰＨ１２において、始まりの極性と、終わりの極性とを、共に加熱される側の電極が陽極となる極性（第１極性）にすることができる。そのため、加熱される側の電極が調整期間ＤＰｃで加熱された状態で、第２期間ＰＨ２１を開始することができる。これにより、第２期間ＰＨ２１において、電極の突起をより成長させやすい。
【０１６０】
また、本実施形態においては、各サイクルの繰り返し回数は、特に限定されない。また、各サイクルの構成は、時間とともに変化してもよい。また、第１期間ＰＨ１１の構成および第２期間ＰＨ２１の構成は、各サイクルの繰り返し回数が０回でありサイクルＣ１１およびサイクルＣ２１を１つずつ含む構成であってもよい。また、第１期間ＰＨ１１および第２期間ＰＨ２１において、各単位駆動期間の構成、および各周波数期間の構成は、サイクルに従って周期的に変化せずに、不規則に変化してもよい。
【０１６１】
また、本実施形態において第２単位駆動期間Ｕ２１，Ｕ２２における保持時間比Ｐｋｔは、１でなくてもよい。この場合、長くする期間を第１極性期間と第２極性期間とで適宜入れ替えて、第２期間ＰＨ２２内において、第１電極９２に加えられる熱負荷と第２電極９３に加えられる熱負荷とを同程度にすることが好ましい。
【０１６２】
＜第２実施形態＞
第２実施形態は、第１実施形態に対して、第２期間ＰＨ２２に、直流期間ＰＤａ，ＰＤｂが設けられている点において異なる。なお、上記実施形態と同様の構成については、適宜同一の符号を付す等により説明を省略する場合がある。
【０１６３】
図９は、本実施形態の放電灯９０に供給される駆動電流Ｉの駆動電流波形を示す図である。図９において、縦軸は駆動電流Ｉを示しており、横軸は時間Ｔを示している。図９に示すように、第２期間ＰＨ２２は、第１周波数期間Ｐｆ１と、第２周波数期間Ｐｆ２と、直流期間ＰＤａ，ＰＤｂと、を有する。
【０１６４】
直流期間ＰＤａ，ＰＤｂは、放電灯９０に直流電流が供給される期間である。すなわち、直流期間ＰＤａ，ＰＤｂにおいては、第１極性と第２極性とのうちのいずれか一方の極性を有する駆動電流Ｉが放電灯９０に供給される。
【０１６５】
直流期間ＰＤａにおいて放電灯９０に供給される直流電流は、第１極性である。直流期間ＰＤｂにおいて放電灯９０に供給される直流電流は、第２極性である。
【０１６６】
直流期間ＰＤａ，ＰＤｂは、放電灯９０に交流電流の半周期が供給される期間と言い換えることもできる。この場合、放電灯９０に直流電流が供給される直流期間ＰＤａの長さｔａは、直流期間ＰＤａにおいて放電灯９０に供給される第３周波数ｆ３の交流電流の半周期の長さである。放電灯９０に直流電流が供給される直流期間ＰＤｂの長さｔｂは、直流期間ＰＤｂにおいて放電灯９０に供給される第３周波数ｆ３の交流電流の半周期の長さである。長さｔａと長さｔｂとは、互いに異なっていてもよいし、同じであってもよい。
【０１６７】
直流期間ＰＤａの長さｔａおよび直流期間ＰＤｂの長さｔｂは、第１極性期間Ｐ２１ａの長さｔ２１ａ、第１極性期間Ｐ２２ａの長さｔ２２ａ、第２極性期間Ｐ２１ｂの長さｔ２１ｂ、および第２極性期間Ｐ２２ｂの長さｔ２２ｂよりも大きい。本実施形態において、第２期間ＰＨ２２の第１周波数期間Ｐｆ１および第２周波数期間Ｐｆ２において、第２極性期間Ｐ２１ｂの長さｔ２１ｂに対する第１極性期間Ｐ２１ａの長さｔ２１ａの比である保持時間比Ｐｋｔは１であり、直流期間ＰＤａの長さｔａおよび直流期間ＰＤｂの長さｔｂは、第１周波数期間Ｐｆ１で放電灯９０に供給される第１周波数ｆ１の交流電流の半周期の長さよりも大きく、かつ、第２周波数期間Ｐｆ２で放電灯９０に供給される第２周波数ｆ２の交流電流の半周期の長さよりも大きい。言い換えると、第３周波数ｆ３は、第１周波数ｆ１および第２周波数ｆ２よりも小さい。
【０１６８】
制御部４０は、ランプ電圧Ｖｌａおよび駆動電力Ｗｄのうち少なくとも一方に応じて、直流期間ＰＤａ，ＰＤｂの長さｔａ，ｔｂを変化させる。言い換えると、制御部４０は、ランプ電圧Ｖｌａおよび駆動電力Ｗｄのうち少なくとも一方に応じて、直流期間ＰＤａ，ＰＤｂにおいて放電灯９０に供給される交流電流の第３周波数ｆ３を変化させる。
【０１６９】
具体的には、例えば、直流期間ＰＤａの長さｔａ，ｔｂは、ランプ電圧Ｖｌａが所定の値以下の範囲では、ランプ電圧Ｖｌａが大きくなるのに従って大きくなり、ランプ電圧Ｖｌａが所定の値よりも大きい範囲では、ランプ電圧Ｖｌａが大きくなるのに従って小さくなる。
【０１７０】
第２期間ＰＨ２２は、第１周波数期間Ｐｆ１、第２周波数期間Ｐｆ２および直流期間ＰＤａで構成されるサイクルＣ２２ａと、第１周波数期間Ｐｆ１、第２周波数期間Ｐｆ２および直流期間ＰＤｂで構成されるサイクルＣ２２ｂと、を有する。サイクルＣ２２ａと、サイクルＣ２２ｂとは、例えば、直流期間が直流期間ＰＤａと直流期間ＰＤｂとで異なる点を除いて、同様である。
【０１７１】
サイクルＣ２２ａとサイクルＣ２２ｂとは、連続して設けられる。図９では、サイクルＣ２２ａとサイクルＣ２２ｂとは、１つずつ設けられているが、それぞれ複数ずつ設けられてもよい。この場合、サイクルＣ２２ａとサイクルＣ２２ｂとは、例えば、交互に繰り返される。
【０１７２】
本実施形態によれば、第２期間ＰＨ２２が直流期間ＰＤａ，ＰＤｂを有するため、第２期間ＰＨ２２において第１電極９２および第２電極９３に加えられる熱負荷を大きくできる。これにより、第１電極９２および第２電極９３に熱負荷による刺激を好適に加えつつ、突起５５２ｐ，５６２ｐを成長させることができる。したがって、突起５５２ｐ，５６２ｐをより太く安定した形状に維持しやすく、放電灯９０の寿命をより向上できる。
【０１７３】
また、本実施形態によれば、直流期間ＰＤａ，ＰＤｂの長さｔａ，ｔｂは、ランプ電圧Ｖｌａおよび駆動電力Ｗｄのうち少なくとも一方に応じて変化する。そのため、ランプ電圧Ｖｌａおよび駆動電力Ｗｄの変化に応じて、第２期間ＰＨ２２において第１電極９２および第２電極９３に加えられる熱負荷を好適に調整できる。
【０１７４】
本実施形態においては、１つの第２期間ＰＨ２２に、直流期間ＰＤａと直流期間ＰＤｂとのうちのいずれか一方のみが設けられてもよい。この場合においては、例えば、第２期間ＰＨ２２が設けられるごとに、直流期間ＰＤａと直流期間ＰＤｂとが交互に設けられる。
【０１７５】
なお、上記第１実施形態および第２実施形態において述べた各構成は、矛盾しない範囲内において、相互に組み合わせることができる。
【０１７６】
また、上述の実施形態において、透過型のプロジェクターに本発明を適用した場合の例について説明したが、本発明は、反射型のプロジェクターにも適用することも可能である。ここで、「透過型」とは、液晶パネル等を含む液晶ライトバルブが光を透過するタイプであることを意味する。「反射型」とは、液晶ライトバルブが光を反射するタイプであることを意味する。なお、光変調装置は、液晶パネル等に限られず、例えばマイクロミラーを用いた光変調装置であってもよい。
【０１７７】
また、上述の実施形態において、３つの液晶パネル５６０Ｒ，５６０Ｇ，５６０Ｂ（液晶ライトバルブ３３０Ｒ，３３０Ｇ，３３０Ｂ）を用いたプロジェクター５００の例を挙げたが、本発明は、１つの液晶パネルのみを用いたプロジェクター、４つ以上の液晶パネルを用いたプロジェクターにも適用可能である。
【符号の説明】
【０１７８】
１０…放電灯点灯装置（放電灯駆動装置）、４０…制御部、９０…放電灯、９２…第１電極、９３…第２電極、２００…光源装置、２３０…放電灯駆動部、３３０Ｒ，３３０Ｇ，３３０Ｂ…液晶ライトバルブ（光変調装置）、３５０…投射光学系、５００…プロジェクター、５０２，５１２Ｒ，５１２Ｇ，５１２Ｂ…画像信号、ｆ１…第１周波数、ｆ２…第２周波数、Ｉ…駆動電流、Ｐｆ１…第１周波数期間、Ｐｆ２…第２周波数期間、ＰＤａ，ＰＤｂ…直流期間、ＰＨ１１，ＰＨ１２…第１期間、ＰＨ１１ａ…第１交流期間、ＰＨ１１ｂ…第２交流期間、ＰＨ２１，ＰＨ２２…第２期間、Ｐｋｔ…保持時間比、Ｐ１１ａ，Ｐ１２ａ，Ｐ２１ａ，Ｐ２２ａ…第１極性期間、Ｐ１１ｂ，Ｐ１２ｂ，Ｐ２１ｂ，Ｐ２２ｂ…第２極性期間、Ｕ１１，Ｕ１１ａ，Ｕ１１ｂ，Ｕ１１ｃ，Ｕ１２，Ｕ１２ａ，Ｕ１２ｂ，Ｕ１２ｃ…第１単位駆動期間、Ｕ２１，Ｕ２２…第２単位駆動期間、Ｖｌａ…ランプ電圧（電極間電圧）、Ｖｌａ１…第１所定電圧、Ｖｌａ２…第２所定電圧、Ｖｌａ３…第３所定電圧、Ｗｄ…駆動電力、Ｘ…所定値
【図１】
2017054777.tif 000008
【図２】
2017054777.tif 000009
【図３】
2017054777.tif 000010
【図４】
2017054777.tif 000011
【図５】
2017054777.tif 000012
【図６】
2017054777.tif 000013
【図７】
2017054777.tif 000014
【図８】
2017054777.tif 000015
【図９】
2017054777.tif 000016